(57)【要約】【課題】  複数の分岐管のうちの任意の分岐管を連通させたり、遮断させたりすることができ、かつ使用しない分岐管内の空気を外部に容易に放出することのできるキャップ付き医療用活栓を提供すること。【解決手段】  チャンバー部１１と、チャンバー部１１にそれぞれ接続された主上流分岐管１２、下流分岐管１３および副上流分岐管１４と、主上流分岐管１２、下流分岐管１３および副上流分岐管１４とチャンバー部１１との間をそれぞれ連通、遮断することのできる回転弁１５と、副上流分岐管１４に着脱可能なキャップ１８とで医療用活栓Ａを構成した。また、キャップ１８が、フィルタ１９が取り付けられた挿入部１８ａを備えており、キャップ１８を副上流分岐管１４に取り付けて挿入部１８ａを副上流分岐管１４内に挿入したときに、チャンバー部１１と副上流分岐管１４との間で液体の移動ができなくなるようにした。【選択図】  図３
2010029381.tif 000002
【特許請求の範囲】
【請求項１】
チャンバー部と、
前記チャンバー部にそれぞれ接続された主上流分岐管、下流分岐管および副上流分岐管と、
前記チャンバー部内に設けられ、前記チャンバー部との間に、前記主上流分岐管、前記下流分岐管および前記副上流分岐管をそれぞれ連通させる液体流路を形成するとともに、所定の方向に回転することにより前記チャンバー部と前記主上流分岐管との間、前記チャンバー部と前記下流分岐管との間および前記チャンバー部と前記副上流分岐管との間をそれぞれ遮断することのできる回転弁と、
前記副上流分岐管に着脱可能なキャップと
を備えたキャップ付き医療用活栓であって、
前記キャップが、前記副上流分岐管内に挿入可能な円筒部と、前記円筒部に取り付けられ気体は通過させるが液体は通過させないフィルタとを備えており、前記キャップを前記副上流分岐管に取り付けて前記円筒部を前記副上流分岐管内に挿入したときに、前記チャンバー部と前記副上流分岐管との間で液体の移動ができなくなるようにしたことを特徴とするキャップ付き医療用活栓。
【請求項２】
前記フィルタを薄膜状の疎水性フィルタで構成した請求項１に記載のキャップ付き医療用活栓。
【請求項３】
前記副上流分岐管の外周面に雄ねじを設け、前記キャップに前記副上流分岐管の外周面を覆う外周壁部を設けるとともに、前記外周壁部の内周面に前記雄ねじと螺合可能な雌ねじを設けた請求項１または２に記載のキャップ付き医療用活栓。
【請求項４】
前記フィルタを前記円筒部の先端開口部に取り付けて、前記フィルタを前記チャンバー部と前記主上流分岐管との境界部分に位置させた請求項１ないし３のうちのいずれか一つに記載のキャップ付き医療用活栓。
【請求項５】
前記円筒部の周囲に、前記円筒部と前記副上流分岐管の内周面との間を密閉するシール部を設けた請求項１ないし４のうちのいずれか一つに記載のキャップ付き医療用活栓。
【発明の詳細な説明】
【技術分野】
【０００１】
本発明は、医療に用いられる複数の輸液チューブ等に連結される複数の分岐管を備え、各分岐管の連通、遮断を切り替えることができるとともに、不使用の分岐管を塞ぐことができるキャップ付き医療用活栓に関する。
【背景技術】
【０００２】
従来から、複数の輸液チューブを、複数の分岐管を備えた医療用活栓に連結して患者の体内に所定の生理食塩水や薬液等の液体を供給することが行われている。このような場合に、複数の分岐管のうちの液体を通過させない（使用しない）分岐管に空気が入り込んで、菌や汚れが発生することを防止するために、その分岐管にキャップを取り付けるようにしたキャップ付き医療用活栓がある（例えば、特許文献１参照）。
【０００３】
このキャップ付き医療用活栓（キャップ付き三方活栓）は、円筒状のボディと、このボディの外周面に形成されボディの内部空間と連通する第１〜第３の流体ポートと、ボディに回動自在に取り付けられたコックとで構成されている。そして、流体ポートの一つにキャップが着脱可能に取り付けられており、コックには、不使用時のキャップを嵌着するための収容穴が設けられている。
【特許文献１】実開平６−４４５５４号公報
【発明の開示】
【０００４】
しかしながら、前述したキャップ付き医療用活栓では、流体ポートの一つにキャップを取り付けた状態で、残りの一方の流体ポートからボディを介して他の流体ポートに液体を流す場合に、キャップが取り付けられた流体ポートの内部に空気が溜まり易くなる。この空気をそのままにしておくと、液体流路を流れる液体内に空気が混入したりする。また、流体ポートの内部に空気が溜まった状態で、流体ポートからキャップを外して、その流体ポートに他のラインやシリジン等の脱着を繰り返すと流体ポート内に菌が入り込み、空気の溜まりに起因する液体の滞留により、菌が繁殖し易くなる。このため、キャップを取り付ける前に、流体ポート内の空気を外部に放出する必要があるが、この空気を放出するための操作が面倒であった。
【０００５】
本発明は、このような事情に鑑みなされたもので、その目的は、複数の分岐管のうちの任意の分岐管を連通させたり、遮断させたりすることができ、かつ使用しない分岐管内の空気を外部に容易に放出することのできるキャップ付き医療用活栓を提供することにある。
【０００６】
前述した目的を達成するため、本発明に係るキャップ付き医療用活栓の構成上の特徴は、チャンバー部と、チャンバー部にそれぞれ接続された主上流分岐管、下流分岐管および副上流分岐管と、チャンバー部内に設けられ、チャンバー部との間に、主上流分岐管、下流分岐管および副上流分岐管をそれぞれ連通させる液体流路を形成するとともに、所定の方向に回転することによりチャンバー部と主上流分岐管との間、チャンバー部と下流分岐管との間およびチャンバー部と副上流分岐管との間をそれぞれ遮断することのできる回転弁と、副上流分岐管に着脱可能なキャップとを備えたキャップ付き医療用活栓であって、キャップが、副上流分岐管内に挿入可能な円筒部と、円筒部に取り付けられ気体は通過させるが液体は通過させないフィルタとを備えており、キャップを副上流分岐管に取り付けて円筒部を副上流分岐管内に挿入したときに、チャンバー部と副上流分岐管との間で液体の移動ができなくなるようにしたことにある。
【０００７】
前述したように構成した本発明のキャップ付き医療用活栓は、回転弁を回転することにより、主上流分岐管、下流分岐管および副上流分岐管と、チャンバー部との間をそれぞれ連通させたり遮断させたりすることができる。そして、主上流分岐管から下流分岐管に向けてだけ液体を流し、副上流分岐管を使用しない場合には、副上流分岐管にフィルタ付きのキャップを取り付けるようにしている。このフィルタは、気体だけを通過させ、液体は通過させないため、主上流分岐管から下流分岐管に液体を流すときに、副上流分岐管内に空気が溜まってもその空気をフィルタを通過させて外部に放出することができる。
【０００８】
この場合、主上流分岐管、下流分岐管および副上流分岐管をチャンバー部を介してそれぞれ連通させる位置に回転弁を回転して、主上流分岐管からチャンバー部に向けて液体を流すと、液圧によって空気は外部に押し出される。これによって、薬液等を患者の体内に供給する際に、空気が体内に送り込まれることを防止できる。また、副上流分岐管にキャップが取り付けられているため、キャップ付き医療用活栓の液体流路内に菌や汚れが入りこむことを防止できる。このように、最初に液体流路内の空気を外部に放出しておけば、その後、回転弁を回転操作しても、液体流路内に空気が浸入することはない。なお、回転弁を回転させる所定の方向とは、回転弁の周面を、主上流分岐管、下流分岐管および副上流分岐管側に向けた状態での回転弁の軸周り方向である。
【０００９】
また、本発明に係るキャップ付き医療用活栓の他の構成上の特徴は、フィルタを薄膜状の疎水性フィルタで構成したことにある。この場合、フィルタの厚みは、０．１〜０．５ｍｍ程度にすることが好ましい。これによると、液体がフィルタを通過することを確実に防止できる。また、フィルタの円筒部への取り付けが容易になるとともに、フィルタが円筒部から分離され難くなる。
【００１０】
また、本発明に係るキャップ付き医療用活栓のさらに他の構成上の特徴は、副上流分岐管の外周面に雄ねじを設け、キャップに副上流分岐管の外周面を覆う外周壁部を設けるとともに、外周壁部の内周面に雄ねじと螺合可能な雌ねじを設けたことにある。これによると、キャップの副上流分岐管への着脱が容易になる。
【００１１】
また、本発明に係るキャップ付き医療用活栓のさらに他の構成上の特徴は、フィルタを円筒部の先端開口部に取り付けて、フィルタをチャンバー部と主上流分岐管との境界部分に位置させたことにある。これによると、フィルタの円筒部への取り付けが容易になる。また、副上流分岐管の内部が液体流路にならないため、副上流分岐管内に空気が滞留する空間ができなくなる。
【００１２】
また、本発明に係るキャップ付き医療用活栓のさらに他の構成上の特徴は、円筒部の周囲に、円筒部と副上流分岐管の内周面との間を密閉するシール部を設けたことにある。これによると、円筒部と副上流分岐管の内周面との間からキャップ付き医療用活栓の液体流路内に空気が入ることを確実に防止できる。この場合、空気を副上流分岐管の内部側から外部側に向けて通すが、外部側から内部側に向けては通さない一方弁を、フィルタに隣接して設けることが好ましい。これによると、副上流分岐管内の空気を放出した状態で、副上流分岐管からキャップを取り外して、副上流分岐管に他の液体を供給するための輸液チューブを接続する際に、副上流分岐管内に空気が入ることを防止できる。
【００１３】
すなわち、副上流分岐管からキャップを抜いていく際に、円筒部と副上流分岐管の内周面との間がシール部によって密閉されているため、副上流分岐管内が負圧になり、キャップの上昇にともなって液面も上昇していく。このため、キャップを抜いて副上流分岐管の開口まで液面が到達した状態で、回転弁を操作して、副上流分岐管とチャンバー部との間を遮断すると、液面はそのままの状態に維持される。その状態で、副上流分岐管に他の液体が充填された輸液チューブを接続することにより、副上流分岐管内に空気が入ることなしに、副上流分岐管に輸液チューブを接続することができる。
【発明を実施するための最良の形態】
【００１４】
（第１実施形態）
以下、本発明の第１実施形態に係るキャップ付き医療用活栓を図面を用いて詳しく説明する。図１ないし図３は、同実施形態に係るキャップ付き医療用活栓Ａを示しており、このキャップ付き医療用活栓Ａは、医療用活栓本体１０と、医療用活栓本体１０に回転可能に取り付けられた回転弁１５と、キャップ１８とで構成されている。医療用活栓本体１０は、軸方向の長さが短い円筒状に形成されその軸方向を前後方向（図１では上下方向）に向けて配置されたチャンバー部１１と、チャンバー部１１の外周面における両側に１８０度の角度を保って同軸に沿って延びるように連結された主上流分岐管１２および下流分岐管１３と、チャンバー部１１の上方に形成された副上流分岐管１４とで構成されている。
【００１５】
チャンバー部１１は、後端が閉塞され、前端が開口した有底円筒状に形成されている。そして、チャンバー部１１の軸方向の略中央には、図３に示したように、三つの連通穴１１ａ，１１ｂ，１１ｃが形成されている。連通穴１１ａは、主上流分岐管１２に対応して設けられており、連通穴１１ａを介してチャンバー部１１の内部と主上流分岐管１２の内部に形成された液体流路１２ａとが連通している。主上流分岐管１２は、チャンバー部１１と一体的に形成された雌ルアー形状をしている。この主上流分岐管１２の内部に形成された液体流路１２ａは、上流側（開口側）の直径が大きく下流側（チャンバー部１１側）の直径が小さくなった複数のテーパ状部分と一つのストレート部分からなる内周面で構成されている。
【００１６】
すなわち、液体流路１２ａの下流側部分は、連通穴１１ａ側の直径が小さく、連通穴１１ａから離れるにしたがって直径が大きくなった２段からなるテーパ状部分とその上流側に形成されたストレート部分とで構成されており、下流側の傾斜が上流側の傾斜よりも大きくなっている。また、液体流路１２ａの上流側部分は、主上流分岐管１２の開口部に近づくほど徐々に直径が大きくなった滑らかなテーパ状に形成されている。そして、主上流分岐管１２の開口部の外周には、連結用の雄ねじ１２ｂが形成されている。連通穴１１ｂは、下流分岐管１３に対応して設けられており、連通穴１１ｂを介してチャンバー部１１の内部と下流分岐管１３の内部に形成された液体流路１３ａとが連通している。
【００１７】
下流分岐管１３は、チャンバー部１１と一体的に形成されており、チャンバー部１１側に位置する基端部１３ｂと、先端側に位置し基端部１３ｂよりも細く形成された雄ルアー部１３ｃとで構成されている。雄ルアー部１３ｃは基端部１３ｂ側よりも先端側の方が徐々に細くなった先細り状に形成されている。また、下流分岐管１３の内部に形成された液体流路１３ａの上流側部分（チャンバー部１１側）の直径は略同一に形成されている。そして、液体流路１３ａの下流側部分（開口側部分）は、上流側の直径が小さく下流側の直径が徐々に大きくなった滑らかなテーパ状の内周面で構成されている。
【００１８】
また、連通穴１１ｃは、副上流分岐管１４に対応して設けられており、連通穴１１ｃを介してチャンバー部１１の内部と副上流分岐管１４の内部に形成された液体流路１４ａとが連通している。副上流分岐管１４は、チャンバー部１１と一体的に形成された雌ルアー形状をしており、外形が主上流分岐管１２と略同一形状に形成されている。すなわち、副上流分岐管１４の内部に形成された液体流路１４ａは、上流側（開口側）の直径が大きく下流側（チャンバー部１１側）の直径が小さくなった段付き（３段）テーパ状の内周面で構成されている。
【００１９】
液体流路１４ａの下流側部分は、連通穴１１ｃ側の直径が小さく、連通穴１１ｃから離れるにしたがって直径が大きくなった２段からなるテーパ状に形成されており、下流側の傾斜が上流側の傾斜よりも大きくなっている。また、液体流路１４ａの上流側部分は、副上流分岐管１４の開口部に近づくほど徐々に直径が大きくなった滑らかなテーパ状に形成されている。そして、副上流分岐管１４の開口部の外周には、後述するキャップ１８を連結するための雄ねじ１４ｂが形成されている。
【００２０】
回転弁１５は、弁体１６と、弁体１６の前端部に連結された操作部１７とで構成されている。弁体１６は、チャンバー部１１内に設置されて、操作部１７の操作によりチャンバー部１１内で軸周り方向に回転可能になっている。この弁体１６は、外形が略円柱状に形成されており、その円柱状の軸方向の中心部分の周面に、円周方向に沿って延びる連通用溝部１６ａを形成して構成されている。連通用溝部１６ａは、その両端部と、弁体１６の中心部とを結ぶ両線間の角度が１８０度よりもやや大きくなるようにして形成されており、図３に示したように、連通用溝部１６ａの軸周り方向の中心部を連通穴１１ｃに向けたときに、連通穴１１ａと連通穴１１ｂも連通用溝部１６ａに対向する。この場合、連通用溝部１６ａと連通穴１１ａ，１１ｂ，１１ｃを介して、液体流路１２ａ，１３ａ，１４ａはすべて連通した状態になる。
【００２１】
また、図３の状態から、弁体１６を時計周り方向に回転して、連通穴１１ｂを弁体１６の外周面に対向させると、液体流路１３ａは他の液体流路１２ａ，１４ａから遮断され、液体流路１２ａ，１４ａは互いに連通した状態を維持する。逆に、図３の状態から、弁体１６を反時計周り方向に回転して、連通穴１１ａを弁体１６の外周面に対向させると、液体流路１２ａは他の液体流路１３ａ，１４ａから遮断され、液体流路１３ａ，１４ａは互いに連通した状態を維持する。さらに、図３の状態から、弁体１６をどちらか一方に１８０度回転して、連通穴１１ｃを弁体１６の外周面に対向させると、液体流路１４ａは他の液体流路１２ａ，１３ａから遮断され、液体流路１２ａ，１３ａは互いに連通した状態を維持する。
【００２２】
操作部１７は、３個の操作片１７ａ，１７ｂ，１７ｃを備えており、この操作片１７ａ，１７ｂ，１７ｃは、それぞれ主上流分岐管１２、下流分岐管１３および副上流分岐管１４に対応するように、所定の角度を保って形成されている。すなわち、図２のように、操作片１７ａが主上流分岐管１２を、操作片１７ｂが下流分岐管１３を、操作片１７ｃが副上流分岐管１４をそれぞれ指す位置にあるときには、主上流分岐管１２、下流分岐管１３および副上流分岐管１４のすべてがチャンバー部１１を介して連通した状態になる。すなわち、弁体１６は、図３の状態になる。
【００２３】
図２の状態から、操作部１７を時計周り方向に９０度回転して、操作片１７ｃが主上流分岐管１２を指し、操作片１７ｂが副上流分岐管１４を指す位置になったときには、主上流分岐管１２と副上流分岐管１４とが連通し、副上流分岐管１４と下流分岐管１３との間および主上流分岐管１２と下流分岐管１３との間は遮断された状態になる。また、図２の状態から、操作部１７を反時計周り方向に９０度回転して、操作片１７ａが副上流分岐管１４を指し、操作片１７ｃが下流分岐管１３を指す位置になったときには、副上流分岐管１４と下流分岐管１３とが連通し、主上流分岐管１２と副上流分岐管１４との間および主上流分岐管１２と下流分岐管１３との間は遮断された状態になる。
【００２４】
さらに、図２の状態から、操作部１７をどちらか一方に１８０度回転して、操作片１７ａが下流分岐管１３を指し、操作片１７ｂが主上流分岐管１２を指す位置になったときには、主上流分岐管１２と下流分岐管１３とが連通し、主上流分岐管１２と副上流分岐管１４との間および下流分岐管１３と副上流分岐管１４は遮断された状態になる。このように、操作片１７ａ，１７ｂ，１７ｃの位置から主上流分岐管１２、下流分岐管１３および副上流分岐管１４の各間の連通または遮断の状態を知ることができる。
【００２５】
キャップ１８は、副上流分岐管１４を使用しないときに、副上流分岐管１４に取り付けられて副上流分岐管１４の液体流路１４ａを閉塞するもので、副上流分岐管１４に着脱可能になっている。キャップ１８は、図４および図５に示したように、副上流分岐管１４の上流側部分の内部に挿入できる筒状の挿入部１８ａ（本発明に係る円筒部）と、副上流分岐管１４の上部外周を覆うことのできる外周壁部１８ｂと、挿入部１８ａと外周壁部１８ｂとの上端部間を連結する上面部１８ｃとで構成されており、外周壁部１８ｂの内周面には、副上流分岐管１４の雄ねじ１４ｂに螺合可能な雌ねじ１８ｄが形成されている。
【００２６】
挿入部１８ａは、外周面が基端部よりも先端部がやや細径になった先細り状の雄ルアー形状に形成されており、副上流分岐管１４の上流側部分の内周面に密着可能になっている。また、内周面は、一端から他端にかけて直径が略等しくなった気体放出流路を構成している。外周壁部１８ｂは、キャップ１８を操作する際に手で持つようになっており、軸方向の長さが短い円筒状に形成されている。上面部１８ｃは、中央に挿入部１８ａの気体放出流路と連通する穴部が設けられた円形の板状に形成されている。
【００２７】
そして、挿入部１８ａの先端には、開口部を塞ぐようにしてフィルタ１９が設けられている。このフィルタ１９は、ナイロンまたはセルロースからなる疎水性のフィルタで構成されており、厚みが０．２５ｍｍに設定されている。フィルタ１９は、空気等の気体は通すが薬液や血液等の液体は通さないように構成されている。図３の状態で、副上流分岐管１４内の空気が、フィルタ１９を通過したときには、その空気は、挿入部１８ａ内から上面部１８ｃの穴部を通過して外部に放出される。なお、フィルタ１９は、挿入部１８ａの先端にナイロンまたはセルロースからなるシートを加圧によって押し付け、微細な超音波振動を加えることにより溶融し、接合することにより形成される。
【００２８】
この構成において、所定の薬液を患者（図示せず）の体内に供給する場合には、下流分岐管１３に、患者に穿刺して留置するための留置針が接続された輸液チューブ（図示せず）の後端部を接続する。また、主上流分岐管１２には、患者に供給する薬液を収容する容器から延びる輸液チューブの先端部に設けられた雄ルアー部を接続する。そして、副上流分岐管１４を使用しない場合には、副上流分岐管１４にキャップ１８を取り付けた状態で、操作部１７を操作して、図３の状態にして、容器の薬液を送り出すことにより、主上流分岐管１２側からチャンバー部１１内を介して下流分岐管１３側に薬液を流す。これによって、キャップ付き医療用活栓Ａ内の液体流路１２ａ，１３ａおよび連通用溝部１６ａ内の空気は薬液に押し出されて、下流側の留置針から外部に放出される。
【００２９】
つぎに、
主上流分岐管１２、下流分岐管１３および副上流分岐管１４をチャンバー部１１を介してそれぞれ連通させる位置に回転弁１５を回転して、主上流分岐管１２側からチャンバー部１１内に薬液を流し続けると、副上流分岐管１４内の空気は、薬液によって上方に押し上げられ、フィルタ１９を通過してキャップ１８の気体放出流路から外部に放出される。このようにして、キャップ付き医療用活栓Ａ内の空間部がすべて薬液で満たされたときに、操作部１７を操作して薬液の送り出しを一旦停止する。そして、留置針を患者の体に穿刺して留置した状態で、再度、操作部１７を操作して容器の薬液を患者に向けて送り出すことにより患者への薬液の供給が行われる。これによって、患者の体内に薬液と一緒に空気が入ることを防止できるとともに、キャップ付き医療用活栓Ａ内に空気が滞留することを防止できる。
【００３０】
また、容器から供給される薬液に加えて、他の薬液を患者に供給する場合には、副上流分岐管１４からキャップ１８を外して、副上流分岐管１４に、先端にコネクターが接続された輸液チューブを接続する。そして、他の薬液を副上流分岐管１４からチャンバー部１１内に注入する。これによって、二種類の薬液が患者の体内に供給される。この場合も、副上流分岐管１４からチャンバー部１１内に他の薬液を注入する場合には、予め、副上流分岐管１４内の空気や、輸液チューブ内の空気を抜く処理を行ったのちに、薬液の注入を行う。
【００３１】
このように、本実施形態に係るキャップ付き医療用活栓Ａでは、主上流分岐管１２から下流分岐管１３に向けて薬液を流し、副上流分岐管１４を使用しない場合には、副上流分岐管１４にフィルタ１９が取り付けられたキャップ１８を取り付けるようにしている。フィルタ１９は、気体を通過させることはできるが、液体を通過させることはできない。このため、患者に薬液を供給する前に、主上流分岐管１２から下流分岐管１３に向って薬液を流すと、内部の空気を穿刺針の穴から外部に放出することができ、さらに、副上流分岐管１４内に空気が溜まってもその空気に液圧をかけることにより、その空気を、フィルタ１９を通過させて外部に放出することができる。
【００３２】
これによって、薬液を患者の体内に供給する際に、空気が体内に送り込まれることを防止できる。また、空気の溜まりに起因する液体の滞留を防止できるため、キャップ付き医療用活栓Ａの内部に菌が繁殖することを防止できる。また、キャップ付き医療用活栓Ａを使用しない場合にも、副上流分岐管１４にキャップ１８を取り付けることにより、キャップ付き医療用活栓Ａの内部に菌や汚れが入り込むことを防止できる。
【００３３】
また、フィルタ１９を、厚みが０．２５ｍｍの薄膜状に形成するとともに、挿入部１８ａの先端開口に取り付けたため、フィルタ１９の挿入部１８ａへの取り付けが容易になるとともに、フィルタ１９が挿入部１８ａから分離され難くなる。さらに、副上流分岐管１４の外周面に雄ねじ１４ｂを設けるとともに、外周壁部１８ｂの内周面に雄ねじ１４ｂに螺合可能な雌ねじ１８ｄを設けて、雄ねじ１４ｂと雌ねじ１８ｄの螺合により、キャップ１８を副上流分岐管１４に取り付けるようにしたため、キャップ１８の副上流分岐管１４への着脱が容易になる。
【００３４】
（第２実施形態）
図６は、本発明の第２実施形態に係るキャップ付き医療用活栓Ｂを示している。このキャップ付き医療用活栓Ｂでは、キャップ２８とフィルタ２９以外の部分は、前述したキャップ付き医療用活栓Ａと同一構造になっている。したがって、同一部分には同一符号を記して説明は省略する。キャップ２８は、図７および図８に示したように構成されている。キャップ２８は、副上流分岐管１４の内周面全体に接触した状態で副上流分岐管１４の内部に挿入できる筒状の挿入部２８ａと、副上流分岐管１４の上部外周を覆うことのできる外周壁部２８ｂと、挿入部２８ａと外周壁部２８ｂとの上端部間を連結する上面部２８ｃとで構成されており、外周壁部２８ｂの内周面には、雄ねじ１４ｂに螺合可能な雌ねじ２８ｄが形成されている。
【００３５】
挿入部２８ａは、外周面が基端部よりも先端部がやや細径になった段付きの先細り状に形成されており、副上流分岐管１４の内周面に密着可能になっている。また、外周壁部２８ｂは前述した外周壁部１８ｂと、上面部２８ｃは前述した上面部１８ｃと、雌ねじ２８ｄは前述した雌ねじ１８ｄとそれぞれ同一形状になっている。そして、挿入部２８ａの先端に設けられたフィルタ２９は、前述したフィルタ１９よりも直径が小さくなっており、それ以外はフィルタ１９と同じ構成になっている。したがって、キャップ２８を副上流分岐管１４に取り付けたときに、フィルタ２９は連通穴１１ｃ内に配置される。
【００３６】
このキャップ付き医療用活栓Ｂによると、副上流分岐管１４を使用しない場合には、副上流分岐管１４の内部が液体流路にならないため、副上流分岐管１４内に空気が溜まる空間ができなくなる。この場合、液体流路１４ａは形成されなくなる。このキャップ付き医療用活栓Ｂのそれ以外の作用効果については、前述したキャップ付き医療用活栓Ａの作用効果と同様である。
【００３７】
（第３実施形態）
図９は、本発明の第３実施形態に係るキャップ付き医療用活栓Ｃを示している。このキャップ付き医療用活栓Ｃでは、キャップ３８の挿入部３８ａの外周面にシール部材３１が設けられているとともに、キャップ３８の挿入部３８ａの内部に一方弁３３が設けられており、それ以外の部分は、前述したキャップ付き医療用活栓Ｂと同一構造になっている。したがって、同一部分には同一符号を記して説明は省略する。
【００３８】
キャップ３８は、図１０および図１１に示したように構成されている。このキャップ３８の挿入部３８ａの外周面におけるやや下部側部分には、円周に沿って溝部３２が形成されており、この溝部３２内にリング状のゴムからなるシール部材３１が取り付けられている。また、一方弁３３は、挿入部３８ａの内部におけるフィルタ２９の上面側に設けられており、チャンバー部１１内からフィルタ２９を通過してくる空気を外部側に向けて通すが、外部の空気をフィルタ２９側には通さないゴム弁で構成されている。
【００３９】
このキャップ付き医療用活栓Ｃによると、副上流分岐管１４にキャップ３８を取り付けたときに、挿入部３８ａと副上流分岐管１４の内周面との間からキャップ付き医療用活栓Ｃの液体流路内に空気が入ることを防止できる。また、副上流分岐管１４からキャップ３８を取り外して、副上流分岐管１４に他の薬液を供給するための輸液チューブ（図示せず）を接続する際に、副上流分岐管１４内に空気が入ることを防止できる。この場合、まず、副上流分岐管１４からキャップ３８を抜いていくと、シール部材３１の密閉によって、副上流分岐管１４内が負圧になり、キャップ３８の上昇にともなって薬液の液面も上昇していく。
【００４０】
つぎに、キャップ３８を抜いて副上流分岐管１４の開口まで液面が到達した状態で、回転弁１５を操作して、副上流分岐管１４とチャンバー部１１との間を遮断すると、液面はそのままの状態に維持される。その状態で、副上流分岐管１４に他の薬液が充填された輸液チューブを接続することにより、副上流分岐管１４内に空気が入ることなしに、副上流分岐管１４に輸液チューブを接続することができる。このキャップ付き医療用活栓Ｃのそれ以外の作用効果については、前述したキャップ付き医療用活栓Ｂと同様である。
【００４１】
また、本発明に係るキャップ付き医療用活栓は、前述した各実施形態に限定するものでなく、適宜変更実施が可能である。例えば、前述した各実施形態では、回転弁１５の弁体１６を、略円柱体の周面に円周方向に沿って延びる連通用溝部１６ａを形成したもので構成しているが、回転弁としては、これに限らず、主上流分岐管から下流分岐管に流れる液体を、チャンバー部内の上方を一旦通過させるための壁部を備えたものを用いることができる。また円柱体の内部に液体流路が設けられた回転弁を用いることもできる。さらに、キャップの形状やフィルタの形状、材質および厚み等についても適宜変更して実施することができる。
【図面の簡単な説明】
【００４２】
【図１】本発明の第１実施形態に係るキャップ付き医療用活栓の平面図である。
【図２】第１実施形態に係るキャップ付き医療用活栓の正面図である。
【図３】第１実施形態に係るキャップ付き医療用活栓の断面図である。
【図４】第１実施形態に係るキャップ付き医療用活栓が備えるキャップを示しており、（ａ）は平面図、（ｂ）は正面図である。
【図５】第１実施形態に係るキャップ付き医療用活栓が備えるキャップの断面図である。
【図６】本発明の第２実施形態に係るキャップ付き医療用活栓の断面図である。
【図７】第２実施形態に係るキャップ付き医療用活栓が備えるキャップを示した正面図である。
【図８】第２実施形態に係るキャップ付き医療用活栓が備えるキャップを示した断面図である。
【図９】本発明の第３実施形態に係るキャップ付き医療用活栓の断面図である。
【図１０】第３実施形態に係るキャップ付き医療用活栓が備えるキャップを示した正面図である。
【図１１】第３実施形態に係るキャップ付き医療用活栓が備えるキャップを示した断面図である。
【符号の説明】
【００４３】
１１…チャンバー部、１２…主上流分岐管、１３…下流分岐管、１４…副上流分岐管、１４ｂ…雄ねじ、１５…回転弁、１６ａ…連通用溝部、１８，２８，３８…キャップ、１８ａ，２８ａ，３８ａ…挿入部、１８ｂ，２８ｂ…外周壁部、１８ｄ，２８ｄ…雌ねじ、１９，２９…フィルタ、３１…シール部材、Ａ，Ｂ，Ｃ…医療用活栓。
【図１】
2010029381.tif 000003
【図２】
2010029381.tif 000004
【図３】
2010029381.tif 000005
【図４】
2010029381.tif 000006
【図５】
2010029381.tif 000007
【図６】
2010029381.tif 000008
【図７】
2010029381.tif 000009
【図８】
2010029381.tif 000010
【図９】
2010029381.tif 000011
【図１０】
2010029381.tif 000012
【図１１】
2010029381.tif 000013